(57)【要約】 【課題】封印シールを破壊した場合には、識別情報の読み取りを確実に不可能として不正行為を検知することができる遊技機の基板ケースを提供する。【解決手段】ベース側貼付部２２を有するボックスベース２と、カバー側貼付部３２を有しボックスベース２にスライドして装着されるボックスカバー３と、ＩＣチップとアンテナ部とこの両者をつなぐ接続部とを有する封印シール１とからなる遊技機の基板ケースであって、ベース側貼付部２２とカバー側貼付部３２とに、ボックスカバー３をボックスベース２にスライド不能に係止する突起４と弾性爪５とからなる係止機構を設けたうえに、この係止機構の直上に前記接続部を位置させて封印シール１をベース側貼付部２２とカバー側貼付部３２を跨いで貼着した。【選択図】図３
2010088623.tif 000002
【特許請求の範囲】
【請求項１】
ベース側貼付部を有するボックスベースと、カバー側貼付部を有しボックスベースにスライドして装着されるボックスカバーと、ＩＣチップとアンテナ部とこの両者をつなぐ接続部とを有する封印シールと、からなる遊技機の基板ケースであって、
ベース側貼付部とカバー側貼付部とに、ボックスカバーをボックスベースにスライド不能に係止する係止機構を設けたうえに、この係止機構の直上に前記接続部を位置させて封印シールをベース側貼付部とカバー側貼付部を跨いで貼着したことを特徴とする遊技機の基板ケース。
【請求項２】
前記係止機構を、ベース側貼付部またはカバー側貼付部に設けられた突起と、もう一方のベース側貼付部またはカバー側貼付部に設けられ前記突起に係合する弾性爪とからなるものとした請求項１に記載の遊技機の基板ケース。
【発明の詳細な説明】
【技術分野】
【０００１】
本発明は、回路基板を収納するための遊技機の基板ケースに関するものである。
【背景技術】
【０００２】
回路基板を収納するための基板ケースを封印するものとして、特許文献１に開示されているようなＩＣタグを有する封印シールを貼着したものが知られている。開示に係るものは、ボックスベースとボックスカバーにそれぞれ貼付板部を設け、この貼付板部を跨ぐようにＩＣタグが埋め込まれた封印シールが側面視コの字に折り曲げて貼り付けられた構造となっている。
【０００３】
封印シール１は、図１、２に示すように、裏面に固有の識別情報が収納されたＩＣチップ１１と、アンテナ部１２と、ＩＣチップ１１とアンテナ部１２とをつなぐ接続部１３とを備えている。この封印シール１においては、外部のリーダー装置からの電波によってアンテナ部１２に微量な電力を発生させ、その電力によってＩＣチップ１１で情報を処理してアンテナ部１２からリーダー装置へ送信することによって、外部から固有の識別情報を非接触で読み取ることができる。このような封印シール１で封印された基板ケースを不正に開封して接続部１３が切断された場合には、ＩＣチップ１１とアンテナ部１２との導通が遮断されてしまうので、リーダー装置による情報の読み取りが不可能となって不正が働かれたことを検知することができる。
【０００４】
しかしながら、接続部１３は長さ数ｍｍ程度の短いものであるので、基板ケースを不正に開封した場合においても、接続部１３以外のアンテナ部１２で切断されたような場合にはアンテナ１２の長さが短くなるだけで、依然としてリーダー装置による識別情報の読み取りが可能であって、不正が働かれたことを検知することができないという問題があった。なお、封印シールを貼着した基板ケースの反対側には、特許文献２に示したようなロック機構が二つ設けられている。
【特許文献１】特開２００８−１７９１４号公報
【特許文献２】特開２００８−１２５５３５号公報
【発明の開示】
【発明が解決しようとする課題】
【０００５】
本発明は、上記した従来の問題点に鑑み、ボックスベースとボックスカバーとを封印する封印シールを破壊した場合には、リーダー装置による識別情報の読み取りを確実に不可能として不正行為を検知することができる遊技機の基板ケースを提供することを課題とする。
【課題を解決するための手段】
【０００６】
上記の課題を解決するためになされた本発明に係る遊技機の基板ケースは、ベース側貼付部を有するボックスベースと、カバー側貼付部を有しボックスベースにスライドして装着されるボックスカバーと、ＩＣチップとアンテナ部とこの両者をつなぐ接続部とを有する封印シールとからなる遊技機の基板ケースであって、
ベース側貼付部とカバー側貼付部とに、ボックスカバーをボックスベースにスライド不能に係止する係止機構を設けたうえに、この係止機構の直上に前記接続部を位置させて封印シールをベース側貼付部とカバー側貼付部を跨いで貼着したことを特徴とするものである。
【０００７】
上記した発明において、前記係止機構を、ベース側貼付部またはカバー側貼付部に設けられた突起と、もう一方のベース側貼付部またはカバー側貼付部に設けられ前記突起に係合する弾性爪とからなるものとすることができる。
【発明の効果】
【０００８】
請求項１、２に係る基板ケースは、係止機構の係止を解除しなければボックスカバーをボックスベースから開封することができないので、ＩＣチップとアンテナ部とをつなぐ接続部を係止機構の上に位置させて封印シールを貼り付けたため、開封した場合には接続部が確実に切断されて、ＩＣチップの識別情報が読み取り不可能となって不正行為が働かれたことを検知することができる。
【発明を実施するための最良の形態】
【０００９】
以下に、本発明の実施形態に付いて説明する。
図３は、本発明の基板ケースを示す図であって、１は封印シール、２はボックスベース、３はボックスカバーである。また、図４、５はボックスカバー３を示す図である。ボックスベース２の側部には略Ｌ字状に切り込まれた凹部２１が設けられ、ボックスカバー３の側部には突部３１が設けられている。突部３１を前記凹部２１に嵌め込んでスライドさせることによりボックスカバー３をボックスベース２に対して上下方向の移動を規制して合体させることができる。
【００１０】
また、ボックスベース２の一端には、ベース側貼付部２２が設けられ、ボックスカバー３の一端にはベース側貼付部２２に対応してカバー側貼付部３２が設けられている。
【００１１】
ベース側貼付部２２は、底板２２１と、ベース側側壁２２２と、底板２２１の端部に部分的に設けられた立ち上がり壁２２３とからなる。ベース側貼付部２２の立ち上がり壁２２３の一端は、係合用の突起４として形成されている。
【００１２】
また、カバー側貼付部３２は、天板３２１と、カバー側側壁３２２と、天板３２１の端部に部分的に垂設された前壁３２３と、前壁３２３の端部から内側に立設された遮蔽壁３２４とからなる。そして、カバー側貼付部３２の天板３２１の下側には弾性爪５が設けられている。この弾性爪５は、基部５１と基部５１の一端から延設された弾性片５２と他端から延設されたＬ字形状の固定片５３とからなり、天板３２１から立設された固定壁５２５とボックスカバー３の前枠３３との間に基部５１が圧入され、基部５１と固定片５３との間に固定壁５２４が圧入されることによって、カバー側貼付部３２の内側に固定されている。弾性片５２は、傾斜部５２１と、傾斜部５２１の先端の係止面５２２と、係止面５２２に隣り合う脱係部５２３を備えている（図４）。なお、突起４をカバー側貼付部３２に設け、弾性爪５をベース側貼付部２２に設けることもできる。
【００１３】
以下に、ボックスカバー３をボックスベース２にスライド不能に係止するための係止機構について図６−９を用いて説明する。
【００１４】
ボックスカバー３の突部３１をボックスベース２の凹部２１に嵌め込んでボックスカバー３を図６中の右方にスライドさせると、弾性片５２が突起４により下方に撓まされつつ突起４が傾斜面５２１をさかのぼる（図８）。そして、図９に示すように、突起４が傾斜面５２１を通過完了すると、それまで撓まされていた弾性片５２が上方に戻ることによって係止面５２２が突起４の裏側に位置されることとなるので、ボックスベース２に対するボックスカバー３の左方への移動が規制される。なお、ボックスカバー３の右方への移動は前記突部３１が凹部２１の奥端に突き当たることにより規制される。よって、ボックスカバー３はボックスベース２に対して、図１０に示すようにスライド不能に合体されている。この状態では、脱係部５２３と前壁３２３との隙間の後方には遮蔽壁３２４が存在しているので、隙間から異物が進入するのを防止している（図９）。
【００１５】
合体された状態において、脱係部５２３上にＩＣチップ１１を、突起４と弾性爪５とを跨ぐ様に封印シール１の接続部１３を、それぞれ位置させて（図９）、図１１に示すように、封印シール１をベース側貼付部２２とカバー側貼付部３２を跨いで側面視コの字状に貼着する。
【００１６】
以上のように構成されたものにおいて、ボックスベース２とボックスカバー３とを開封するために突起４と弾性爪５との係合を解除しようとした場合には、脱係部５２３と突起４との間に指爪やドライバーなどの工具を差し込んで弾性片５２を図９中下方に押し下げて突起４と係止面５２２との係止を解除したのち突起４を右方に移動させる必要がある。しかしながら脱係部５２３と突起４との間に指爪や工具を差し込んだ場合には、両者を跨いで接続部１３が設けられていることから必ず接続部１３が切断されてしまい、ＩＣチップ１１とアンテナ１２との導通が遮断されることとなる。よって、ＩＣチップ１１の識別情報が読み取り不可能となって不正行為が働かれたことを面倒な目視検査によらず検知することができる。
【図面の簡単な説明】
【００１７】
【図１】封印シールの裏面図である。
【図２】封印シールの部分拡大図である。
【図３】基板ケースの分解斜視図である。
【図４】ボックスカバーの底面図である。
【図５】ボックスカバーの斜視図である。
【図６】基板ケースの側面図である。
【図７】図７のＡ−Ａ線断面図である。
【図８】係合途中の突起と弾性爪の拡大図である。
【図９】係合完了した突起と弾性爪の拡大図である。
【図１０】合体した基板ケースの斜視図である。
【図１１】封印シールが貼着された基板ケースの斜視図である。
【符号の説明】
【００１８】
１  封印シール、２  ボックスベース、３  ボックスカバー、４  突起、５  弾性爪、２２  ベース側貼付部、３２  カバー側貼付部、
【図１】
2010088623.tif 000003
【図２】
2010088623.tif 000004
【図３】
2010088623.tif 000005
【図４】
2010088623.tif 000006
【図５】
2010088623.tif 000007
【図６】
2010088623.tif 000008
【図７】
2010088623.tif 000009
【図８】
2010088623.tif 000010
【図９】
2010088623.tif 000011
【図１０】
2010088623.tif 000012
【図１１】
2010088623.tif 000013